(57)【要約】【課題】汚れが溜まりやすい構造をなくした洗眼用容器を提供する。【解決手段】  カップ状に形成された洗眼用容器であって、底壁と、前記底壁と一体的に形成され前記底壁の周縁から上方へ向かって延びる周壁とを有し、前記周壁の上縁部が前記洗眼用容器の開口部の周縁を画定し、前記洗眼用容器の開口部の周縁が人の目の周囲に適合する形状とされている洗眼用容器において、前記底壁に少なくとも一対の、容器内方に向かって突出する、丸みを帯びた表面を有する凸部が設けられる。係る構造により、従来のような２つのリブ間に存在した汚れが溜まりやすい構造をなくすことができる。【選択図】  図２
2014057782.tif 000002
【特許請求の範囲】
【請求項１】
カップ状に形成された洗眼用容器であって、底壁と、前記底壁と一体的に形成され前記底壁の周縁から上方へ向かって延びる周壁とを有し、前記周壁の上縁部が前記洗眼用容器の開口部の周縁を画定し、前記洗眼用容器の開口部の周縁が人の目の周囲に適合する形状とされている洗眼用容器において、
前記底壁に少なくとも一対の、容器内方に向かって突出する、丸みを帯びた表面を有する凸部が設けられることを特徴とする、洗眼用容器。
【請求項２】
請求項１に記載の洗眼用容器において、
前記凸部は、前記底壁の周縁から前記周壁の少なくとも一部に亘って前記洗眼用容器の内方に向けて形成されていることを特徴とする、洗眼用容器。
【請求項３】
カップ状に形成された洗眼用容器であって、底壁と、前記底壁と一体的に形成され前記底壁の周縁から上方へ向かって延びる周壁とを有し、前記周壁の上縁部が前記洗眼用容器の開口部の周縁を画定し、前記洗眼用容器の開口部の周縁が人の目の周囲に適合する形状とされている洗眼用容器において、
前記周壁の外周面に、洗眼液の液量を計量するための入り目線が形成されていることを特徴とする、洗眼用容器。
【請求項４】
カップ状に形成された洗眼用容器であって、底壁と、前記底壁と一体的に形成され前記底壁の周縁から上方へ向かって延びる周壁とを有し、前記周壁の上縁部が前記洗眼用容器の開口部の周縁を画定し、前記洗眼用容器の開口部の周縁が人の目の周囲に適合する形状とされている洗眼用容器において、
前記底壁の周縁と前記周壁とにより形成される内側コーナー部分には丸みが設けられていることを特徴とする、洗眼用容器。
【請求項５】
請求項１〜４のいずれか１項に記載の洗眼用容器であって、
前記底壁及び前記周壁は、光透過性を有する、洗眼用容器。
【発明の詳細な説明】
【技術分野】
【０００１】
本発明は、カップ状に形成された洗眼用容器に関する。
【背景技術】
【０００２】
従来より、眼病予防、花粉症対策等のため、カップ状の洗眼用容器に洗眼液を入れ、洗眼用容器の開口部の周縁を人の目の周囲に当接させた状態で顔を上に向けることで、目の表面を洗眼液に浸して洗眼を行うことが知られている。
【０００３】
このような洗眼用容器には、例えば特許文献１、２に記載されているようなものがある。特許文献１に開示されている洗眼用容器は、あらかじめ洗眼用容器内に洗眼液を入れておき、洗眼用容器の圧接面を目の周囲に押しあて、その状態で顔を上向きとして洗眼を行うものである。特許文献１において、洗眼用容器の周壁は、底壁から立ち上がる第１周壁と該第１周壁に内嵌される第２周壁との二部材で構成され、使用時には、第２周壁が第１周壁内に内嵌されて使用される。
【０００４】
また、特許文献２には、容器本体とフランジ部とからなる洗眼用容器であって、フランジ部を薄肉に形成したものが開示されている。特許文献２において、洗眼用容器の内周面には、底壁の上面まで延びるリブ６が形成されており、このリブにより、洗眼液ボトルの口部に装着したときに該口部に保持される。
【０００５】
また、従来使用されてきた洗眼用容器には、図１に示すようなものが存在する。この洗眼用容器は底壁と底壁の周縁から上方へ延びる周壁とを有しており、周壁から容器の内方へ向かって延びる、それぞれが２つのリブからなる突出部を一対設けている。
【先行技術文献】
【特許文献】
【０００６】
【特許文献１】特開２００２−３４５９１９号公報
【特許文献２】特開２００１−１５７７０３号公報
【発明の概要】
【発明が解決しようとする課題】
【０００７】
しかし、特許文献１に記載の洗眼用容器は、二部品構造であって容器全体が一体的に成形されるものではないため、第１周壁に第２周壁を内嵌したときに生じる段部に汚れ（例えば洗眼液の残り等）が溜まりやすいという問題がある。洗眼用容器は衛生的に使用される必要があるため、汚れが残りにくい構造とすることが要求される。
【０００８】
また、特許文献２の洗眼用容器は、リブによって洗眼液ボトル上での安定性を図ろうとするものであるが、リブと底壁との間及びリブと周壁との間には略９０度のコーナー部が形成されてしまい、この部分に汚れが溜まりやすいという問題がある。
【０００９】
また、図１に示した各突出部は、２つのリブから構成されているため、そのリブの間の隙間に汚れが溜まりやすい傾向があった。
そこで、本発明が解決しようとする課題は、汚れが溜まりやすい構造をなくした洗眼用容器を提供することにある。
【課題を解決するための手段】
【００１０】
上記課題を解決するために、本発明の洗眼用容器は、カップ状に形成された洗眼用容器であって、底壁と、前記底壁と一体的に形成され前記底壁の周縁から上方へ向かって延びる周壁とを有し、前記周壁の上縁部が前記洗眼用容器の開口部の周縁を画定し、前記洗眼用容器の開口部の周縁が人の目の周囲に適合する形状とされている洗眼用容器において、
前記底壁に少なくとも一対の、容器内方に向かって突出する丸みを帯びた表面を有する凸部が設けられることを特徴とする（第１の態様）。
【００１１】
上記発明において、前記凸部は、前記底壁の周縁から前記周壁の少なくとも一部に亘って前記洗眼用容器の内方に向けて形成されていることが望ましい（第２の態様）。
また、本発明の洗眼用容器は、カップ状に形成された洗眼用容器であって、底壁と、前記底壁と一体的に形成され前記底壁の周縁から上方へ向かって延びる周壁とを有し、前記周壁の上縁部が前記洗眼用容器の開口部の周縁を画定し、前記洗眼用容器の開口部の周縁が人の目の周囲に適合する形状とされている洗眼用容器において、前記周壁の外周面に、洗眼液の液量を計量するための入り目線が形成されていることを特徴とする（第３の態様）。
【００１２】
また、本発明の洗眼用容器は、カップ状に形成された洗眼用容器であって、底壁と、前記底壁と一体的に形成され前記底壁の周縁から上方へ向かって延びる周壁とを有し、前記周壁の上縁部が前記洗眼用容器の開口部の周縁を画定し、前記洗眼用容器の開口部の周縁が人の目の周囲に適合する形状とされている洗眼用容器において、前記底壁の周縁と前記周壁とにより形成される内側コーナー部分には丸みが設けられていることを特徴とする（第４の態様）。
【発明の効果】
【００１３】
第１の態様によれば、底壁から容器内方に向かって突出する丸みを帯びた凸部が設けられるので、従来のように洗眼液ボトルの口部に洗眼用容器を嵌合させたときの安定性を確保することができるとともに、一対の凸部が設けられるだけなので、従来のような２つのリブ間に存在した汚れが溜まりやすい構造をなくすことができる。
【００１４】
第２の態様によれば、凸部は、底壁の周縁から周壁の少なくとも一部に亘って洗眼用容器の内方に向けて形成されるので、凸部と底壁との間、及び凸部と周壁との間のいずれにも、汚れが溜まりやすい部分が形成されない。
【００１５】
また、第３の態様によれば、周壁の外周面に、洗眼液の液量を計量するための入り目線を形成したので、従来は製造上の問題から洗眼用容器の内面に設けられていた、汚れが溜まりやすい計量用の入り目線を容器の内側から排除することが可能となる。
【００１６】
また、第４の態様によれば、底壁の周縁と周壁とにより形成される内側コーナー部分には丸みを設けたので、汚れが溜まりやすかった底壁の周縁部と周壁とにより形成される角張ったコーナー部分をなくし、たとえ汚れがついたとしても容易にその汚れを除去することが可能となる。また、丸みを設けたことにより厚みが増大するため、洗眼用容器を把持する際の変形を防止することが可能となり、変形による洗眼用容器からの洗眼液の漏出を防止することができる。さらに、丸みを設けたことにより、洗眼液の残り、洗眼用容器自体を洗浄した際の水等の液体が、それらの表面張力により内側コーナー部分へ吸着するのを抑えることが可能となる。これにより、該液体の除去が容易となり、洗眼用容器の乾燥を短時間で行うことが可能となり、液体の存在による微生物の繁殖を抑えることができる。
【図面の簡単な説明】
【００１７】
【図１】従来の洗眼用容器を示す上面図である。
【図２】本発明の一実施形態に係る洗眼用容器を示す図であり、図２（ａ）は平面図、図２（ｂ）は左側面図、図２（ｃ）は図２（ｂ）のＡ−Ａ線における断面図、図２（ｄ）は洗眼用容器の正面図、図２（ｅ）は図２（ｄ）のＢ−Ｂ線における断面図、図２（ｆ）は底面図である。
【図３】図２に示した洗眼用容器の細部を説明するための断面図である。
【図４】図４（ａ）は図２に示した洗眼用容器の左側面図であり、図４（ｂ）は同洗眼用容器の正面図である。
【発明を実施するための形態】
【００１８】
以下図面を参照して、本発明の洗眼用容器を具体的に説明する。
図２は、本発明の一実施形態に係る洗眼用容器を示す図であり、図２（ａ）は平面図、図２（ｂ）は左側面図、図２（ｃ）は図２（ｂ）のＡ−Ａ線における断面図、図２（ｄ）は洗眼用容器の正面図、図２（ｅ）は図２（ｄ）のＢ−Ｂ線における断面図、図２（ｆ）は底面図であり、図３は図２に示した洗眼用容器の細部を説明するための断面図であり、図４（ａ）、（ｂ）は図２に示した洗眼用容器を説明するための左側面図及び正面図である。本実施形態における洗眼用容器は、洗眼液を入れるためにカップ状に形成され、容器開口の周縁部が人の目の周囲に適合する形状に形成されている。
【００１９】
より具体的には、図２（ａ）〜（ｆ）に示したように、洗眼用容器１は、底壁２及び底壁２の周縁から上方へ向かって延びる周壁３を有する、上方が開口した全体としてカップ状に形成されている。周壁３の上端部には、該上端部から外方に向かって延びる接眼部４が設けられており、該接眼部４により洗眼用容器１の開口部の周縁が画定される。本実施形態において、洗眼用容器１の底壁２、周壁３、及び接眼部４は一体的に成形されている。底壁２、周壁３、及び接眼部４はそれぞれ、同一の樹脂で成形してもよく、異なる樹脂で成形してもよい。底壁２及び周壁３を同一の樹脂で成形し、接眼部４を底壁２及び周壁３とは異なる樹脂で成形してもよい。この場合において、底壁２及び周壁３は、例えば熱可塑性樹脂等の、第１の樹脂で作られ、接眼部４は、例えば熱可塑性エラストマー等の、第１の樹脂とは異なる、第１の樹脂より軟らかい第２の樹脂で作られる。熱可塑性樹脂としては、ポリプロピレン、ポリエチレンを用いることが好ましい。熱可塑性エラストマーとしては、スチレン系エラストマーを用いることが好ましい。スチレン系エラストマーは、成形時に第１の樹脂として使用されるポリプロピレン等の熱可塑性樹脂との接着性が良好であるため、使用中に接眼部４と周壁３との間の境界部分で接眼部４が周壁３から破断分離することがない。
【００２０】
このように、接眼部４を底壁２及び周壁３の第１の樹脂より軟らかい第２の樹脂で製造することにより、接眼部4を目の周囲に当接させたときの密着性を向上させることができる。また、多部品構成の容器と比較して、製造工程を少なくすることができるとともに、容器１の構成を簡単なものとすることができ、製造にかかる時間及びコストを少なくすることが可能となる。また、多部品構成の容器の場合、これらの接続部分に洗眼液が溜まる恐れがあるが、本態様では洗眼容器を一体的に成形したので、そのような問題は生じない。  底壁２及び周壁３の第１の樹脂は、ＪＩＳ  Ｋ  ７２０２（プラスチック‐硬さの求め方  ロックウェル硬さ）の測定方法を用いた場合に、例えばＲ７０以上またはＤ４０以上の硬さを有するものとすることが好ましく、Ｒ８０以上またはＤ４０以上の硬さがより好ましく、Ｒ９０以上またはＤ４０以上の硬さが最も好ましい。接眼部４の第２の樹脂はＪＩＳ  Ｋ  ６２５３の測定方法（加流性ゴム及び熱可塑性ゴム‐硬さの求め方）を用いた場合に、例えば１ｐｏｉｎｔ以上８０ｐｏｉｎｔ以下の硬さを有するものとすることが好ましく、３０ｐｏｉｎｔ以上８０ｐｏｉｎｔ以下の硬さがより好ましく、４０ｐｏｉｎｔ以上５５ｐｏｉｎｔ以下の硬さが最も好ましい。すなわち、第２の樹脂の硬さを第１の樹脂の硬さより軟らかくすることにより、接眼部を全体として肉薄にすることなく、目の周囲への密着性に優れた洗眼用容器１を得ることができる。また、第１の樹脂の硬さをＪＩＳ  Ｋ  ７２０２においてＲ７０以上またはＤ４０以上とすることにより、使用者が使用中に洗眼用容器１を指で押しても周壁３部分は変形しにくくなる。したがって、使用時に洗眼用容器１が変形して容器1から洗眼液が漏れることを防止することが可能となる。
【００２１】
本実施形態において、底壁２から周壁３に沿って、少なくとも周壁３の一部に亘って上方へ延びる突出部５が形成されている。洗眼容器１の周壁３から内方に向かって突出する複数の突出部５が設けられる。図２（ａ）及び（ｅ）には、一例として、一対の突出部５が互いに１８０°離隔されて設けられているが、突出部５の数は２つに限られるものではなく、洗眼液ボトル上での洗眼用容器１の安定性を図ることが可能であれば３つ以上の突出部を設けることも可能である。突出部５は、図１を参照して説明した従来例における、洗眼液ボトルのキャップ部分に洗眼用容器１を嵌めたときの嵌合用リブと同様の機能を有する。すなわち、各突出部５は所定の幅（図２（ｃ））及び厚み（図２（ｅ））を有しており、洗眼用容器１を洗眼液ボトルの口部に嵌めたときに、突出部５の間に口部が安定的に受け入れられるように寸法設定される。しかし、図２に示すように、本実施形態の突出部は、従来のようなリブ間の隙間は形成されず、リブと底壁、及びリブと周壁との間にも隙間は存在しない。従って、ボトルのキャップと嵌合する突出部５の周囲に存在していた、汚れが溜まる構造を減らすことが可能となる。
【００２２】
図３は、図２（ｅ）に示した断面図の特に底壁２部分の形状を説明するための断面図である。図３において、容器１の開口周縁部分の記載は省略してある。同図に示すように、底壁２と突出部５との間に形成されるコーナー部は直角ではなく、わずかに丸みが設けられている。この丸み（Ｒ）は約１〜６（単位：ｍｍ）とするのが好ましい。なお、底壁２と突出部５の間に形成されるコーナー部について説明したが、底壁２の周縁と周壁３の間、及び周壁３と突出部５の間に形成されるコーナー部にも該丸み（Ｒ）を設けることが可能である。
【００２３】
図４から明らかなように、本実施形態の洗眼用容器１は、周壁の外周に計量用の入り目線６を設けている。入り目線６はＲを約０．３ｍｍ〜２．０ｍｍとした、周壁３の肉厚の中に収まる深さを有する凹みにより形成される。なお、入り目線６を、周壁３の凹みではなく、周壁３の外側へ突出する凸部あるいは段部として形成することもできる。従来は製造工程上の理由から、入り目線は洗眼用容器１の周壁３の内面側に設ける必要があり、汚れが溜まりやすいという問題があった。これに対して本実施形態のように外側に入り目線６を設けることで、容器１の内部から、汚れが溜まりやすい構造を除くことが可能となる。
【００２４】
なお、洗眼用容器１は、その使用目的上、衛生的に使用できることが必要であるが、洗眼用容器１の底壁２及び周壁３が半透明あるいは不透明な場合、洗眼により実際に目から除去されたごみ等の汚れを目視により確認しにくいので、容器１内の洗眼液が汚れたままの状態にあるのか洗浄されているのかがわからないという問題がある。そこで、本実施形態では、底壁２及び周壁３を光透過性の高い透明材料で作成する。光透過性の高い透明材料は、たとえばＪＩＳ  Ｋ  ７１３６（プラスチック透明材料のヘーズの求め方）、ＪＩＳ  Ｋ  ７３６１−１（プラスチック−透明材料の全光線透過率の試験方法−第１部、シングルビーム法、あるいはＪＩＳ  Ｋ  ７３７５（プラスチック−全光線透過率および全光線反射率の求め方、などを採用することができる。上記シングルビーム法を用いた場合、本実施形態において底壁２及び周壁３の透明度は、たとえば試験片厚さ５０μｍで透過度８５％以上が好ましく、９０％以上がより好ましい。
【００２５】
このような透明性の高い底壁２及び周壁３を採用することで、使用者は容器内の汚れを容易に確認することができる。
以上、本発明の実施形態について説明したが、本発明は上述した実施形態に限定されるものではなく、その趣旨を逸脱しない限りにおいてさまざまな変更が可能である。もちろん、第１〜第４の実施の形態を組み合わせて採用可能である。
【符号の説明】
【００２６】
１    洗眼用容器
２    底壁
３    周壁
４    接眼部
５    突出部
６    入り目線
【図１】
2014057782.tif 000003
【図２】
2014057782.tif 000004
【図３】
2014057782.tif 000005
【図４】
2014057782.tif 000006